(57)【要約】【課題】コロナ帯電式の帯電装置を備え、像担持体と定着装置とを同一の駆動源で駆動する構成において、画像形成開始時の像担持体の表面電位の立ち上がりを良くするとともに放電生成物の生成も抑制可能な画像形成装置を提供する。【解決手段】画像形成装置は、像担持体と、帯電装置と、転写部材と、定着装置と、電圧印加装置と、駆動装置と、制御部と、を備える。帯電装置は、コロナワイヤーを備えたコロナ帯電式である。定着装置は、加熱手段により加熱される被加熱回転体と、被加熱回転体に圧接される加圧部材と、を有する。像担持体と定着装置とは一つの駆動装置で駆動される。制御部は、被加熱回転体の表面温度を定着温度まで上昇させるウォームアップ時に、像担持体および被加熱回転体を画像形成時よりも低速で回転させるとともに、電圧印加装置からコロナワイヤーに印加するワイヤー電圧を画像形成時よりも低下させる。【選択図】図４
2018066896.tif 000002
【特許請求の範囲】
【請求項１】
表面に感光層が形成された像担持体と、
コロナワイヤーからの放電により前記像担持体表面を帯電させるコロナ帯電式の帯電装置と、
前記像担持体の回転方向に対し前記帯電装置の下流側に前記像担持体に接触するように配置され、前記像担持体表面に形成されたトナー像を記録媒体に転写する転写部材と、
加熱手段により加熱される被加熱回転体と、該被加熱回転体に圧接される加圧部材と、を有し、記録媒体上に転写されたトナー像を定着処理する定着装置と、
前記帯電装置に帯電電圧を印加する電圧印加装置と、
前記像担持体と前記定着装置とを同期させて駆動する一つの駆動装置と、
前記電圧印加装置および前記駆動装置を制御する制御部と、
を備えた画像形成装置において、
前記制御部は、前記被加熱回転体の表面温度を所定の定着温度まで上昇させるウォームアップ時に、前記像担持体および前記被加熱回転体を画像形成時よりも低速で回転させるとともに、前記電圧印加装置から前記コロナワイヤーに印加するワイヤー電圧を画像形成時よりも低下させることを特徴とする画像形成装置。
【請求項２】
前記制御部は、前記ウォームアップ時における前記像担持体の表面電位が画像形成時と略同電位となるように前記ワイヤー電圧を設定することを特徴とする請求項１に記載の画像形成装置。
【請求項３】
前記帯電装置は、前記コロナワイヤーとグリッドとを備えたスコロトロン方式であり、前記電圧印加装置は、前記グリッドにグリッド電圧を印加することを特徴とする請求項１又は請求項２に記載の画像形成装置。
【請求項４】
前記制御部は、前記グリッド電圧は画像形成時と同電圧とし、前記ワイヤー電圧を画像形成時よりも低下させることを特徴とする請求項３に記載の画像形成装置。
【請求項５】
前記制御部は、前記グリッド電圧を画像形成時よりも高くするとともに、前記ワイヤー電圧を画像形成時よりも低下させることを特徴とする請求項３に記載の画像形成装置。
【請求項６】
前記像担持体は、前記感光層としてアモルファスシリコン感光層が形成されていることを特徴とする請求項１乃至請求項５のいずれかに記載の画像形成装置。
【発明の詳細な説明】
【技術分野】
【０００１】
本発明は、複写機、レーザープリンター、ファクシミリ等の、電子写真式の画像形成装置に関し、特に、コロナ帯電式の帯電装置を備え、感光体ドラムと定着装置とを同一の駆動源で駆動する画像形成装置に関するものである。
【背景技術】
【０００２】
電子写真プロセスを用いた画像形成装置においては、像担持体である感光体ドラム上にトナー像を形成し、転写部材を用いて感光体ドラム上に形成されたトナー像を記録媒体上に転写した後、定着ローラーや定着ベルト等の定着部材を備えた定着装置により未定着のトナー像が記録媒体上に定着される。そして、省電力モードからの復帰時や待機状態からの立ち上げ時に定着部材を所定温度（定着温度）以上に上昇させる（以下、ウォームアップという）際、定着部材の表面温度を均一に上昇させるために定着部材を回転させながらウォームアップを実行する必要がある。
【０００３】
一方、感光体ドラムと定着部材とを同一の駆動源（モーター）によって同期させて回転駆動させるものがある。このような構成においては、画像形成時以外に感光体ドラムが不必要に回転するため、感光体ドラムの表面に積層された感光層が摩耗するという問題点があった。
【０００４】
そこで、例えば特許文献１には、ヒートローラーと感光体ドラムとを画像形成時の回転速度よりも低速で回転させることにより、ウォームアップの実行時における騒音や感光体ドラム表面の感光層の摩耗を抑制する画像形成装置が開示されている。
【先行技術文献】
【特許文献】
【０００５】
【特許文献１】特開平５−１９５５号公報
【発明の概要】
【発明が解決しようとする課題】
【０００６】
しかしながら、特許文献１の方法では、ウォームアップの実行時に低速で回転駆動させる際の帯電電圧の設定については何ら記載されていない。感光体ドラムを帯電させずに回転駆動させると、その後の画像形成時において所望の表面電位まで帯電され難い（帯電が立ち上がり難い）ことが知られている。
【０００７】
そのため、ウォームアップ実行時の回転駆動中においても帯電電圧を印加する必要がある。ここで、コロナワイヤーに電圧を印加して放電を発生させるコロナ帯電式の帯電装置を用いる場合、必要以上の帯電電圧を印加すると、ウォームアップ直後の画像形成時に感光体ドラムの表面電位が目標値よりも高くなったり、オゾンやＮＯｘ、ＳＯｘ等の放電生成物が通常の画像形成時と同様に生成したりするという問題点があった。
【０００８】
本発明は、上記問題点に鑑み、コロナ帯電式の帯電装置を備え、像担持体と定着装置とを同一の駆動源で駆動する構成において、画像形成開始時の像担持体の表面電位の立ち上がりを良くするとともに放電生成物の生成も抑制可能な画像形成装置を提供することを目的とする。
【課題を解決するための手段】
【０００９】
上記目的を達成するために本発明の第１の構成は、像担持体と、帯電装置と、転写部材と、定着装置と、電圧印加装置と、駆動装置と、制御部と、を備えた画像形成装置である。像担持体は、表面に感光層が形成される。帯電装置は、コロナワイヤーからの放電により像担持体表面を帯電させるコロナ帯電式である。転写部材は、像担持体の回転方向に対し帯電装置の下流側に像担持体に接触するように配置され、像担持体表面に形成されたトナー像を記録媒体に転写する。定着装置は、加熱手段により加熱される被加熱回転体と、被加熱回転体に圧接される加圧部材と、を有し、記録媒体上に転写されたトナー像を定着処理する。電圧印加装置は、帯電装置に帯電電圧を印加する。駆動装置は、像担持体と定着装置とを同期させて駆動する。制御部は、電圧印加装置および駆動装置を制御する。制御部は、被加熱回転体の表面温度を所定の定着温度まで上昇させるウォームアップ時に、像担持体および被加熱回転体を画像形成時よりも低速で回転させるとともに、電圧印加装置からコロナワイヤーに印加するワイヤー電圧を画像形成時よりも低下させる。
【発明の効果】
【００１０】
本発明の第１の構成によれば、ウォームアップの実行時における騒音や感光体ドラム表面の感光層の摩耗を抑制するとともに、ウォームアップ終了直後の印字において像担持体の表面電位の立ち上がりを向上させることができる。また、帯電装置のコロナワイヤーからの放電による放電生成物の生成も効果的に抑制することができる。さらに、ウォームアップ直後の印字において像担持体の表面電位が高くなり過ぎるのを防止できるため、像担持体の過帯電に起因する画像不良の発生を向上させることができる。
【図面の簡単な説明】
【００１１】
【図１】本発明の一実施形態に係る画像形成装置１００の内部構造を示す側面断面図
【図２】図１における画像形成部Ｐ周辺の部分拡大図
【図３】画像形成装置１００の制御経路を示すブロック図
【図４】本発明の画像形成装置１００におけるウォームアップ実行時のプロセス線速および帯電印加電圧の制御例を示すフローチャート
【発明を実施するための形態】
【００１２】
以下、図面を参照しながら本発明の実施形態について説明する。図１は、本発明の一実施形態に係る画像形成装置１００の内部構造を示す側面断面図であり、図２は、図１における画像形成部Ｐ付近の拡大図である。画像形成装置（ここではモノクロプリンター）１００内には、帯電、露光、現像および転写の各工程によりモノクロ画像を形成する画像形成部Ｐが配設されている。画像形成部Ｐには、可視像（トナー像）を担持する感光体ドラム５が配設されている。感光体ドラム５の回転方向（図２の反時計回り方向）に沿って、帯電装置４、現像装置８、転写ローラー１４、クリーニング装置１９、および除電装置６が配設されている。画像形成部Ｐの上方には露光ユニット（レーザー走査ユニット等）７が配設されている。
【００１３】
感光体ドラム５は、支持体である素管５ａと、素管５ａの表面に形成される感光層５ｂとで構成される。本実施形態では、アルミニウム製の円筒状の素管５ａの外周面に、感光層５ｂとして電荷発生剤、電荷輸送剤、結着樹脂（バインダー）、フィラーを同一層に含有した正帯電単層型有機感光層（ＯＰＣ）を積層している。感光体ドラム５は、メインモーター５０（図３参照）からの駆動力によって図２の反時計回り方向に回転する。なお、感光層５ｂとしてアモルファスシリコン感光層を積層しても良い。
【００１４】
帯電装置４は、感光体ドラム５の長手方向（図２の紙面と垂直な方向）の略全域に亘って感光体ドラム５に対向するように配設されている。帯電装置４は、感光体ドラム５の表面側に開放部を有する断面コ字状のシールド部材（筐体）と、高電圧が印加されるコロナワイヤー２１と、シールド部材の開放部に設けられたグリッド２３とを有するスコロトロン方式であり、コロナワイヤー２１からのコロナ放電によりグリッド２３を介して感光体ドラム５の表面を所定のプラス電位（トナーと同極性）に帯電させる。
【００１５】
現像装置８は、２本の攪拌搬送スクリュー（図示せず）と、現像ローラー２５とを有する二成分現像式であり、磁性キャリアとトナーとを含む二成分現像剤を用いて現像ローラー２５表面に磁気ブラシを形成し、現像ローラー２５にトナーと同極性（正）の現像バイアスを印加した状態で感光体ドラム５の表面に磁気ブラシを接触させてトナーを付着させる。
【００１６】
転写ローラー１４は、感光体ドラム５の表面に形成されたトナー像を用紙（記録媒体）上に転写する。クリーニング装置１９は、感光体ドラム５の長手方向に線接触するクリーニングブレード２７と、クリーニングブレード２７によって感光体ドラム５の表面から掻き取られた廃トナーを排出する回収スパイラル（図示せず）を備えており、トナー像が用紙に転写された後に、感光体ドラム５の表面の残留トナーを除去する。また、感光体ドラム５の表面の残留電荷を除去する除電装置６が、感光体ドラム５の回転方向に対しクリーニング装置１９の下流側に設けられている。除電装置６は、感光体ドラム５の表面に除電光を照射して残留電荷を除去する。
【００１７】
定着装置１５は、被加熱回転体である定着ローラー１５ａと、加圧部材である加圧ローラー１５ｂと、定着ローラー１５ａの内部に配設されるヒーター３０と、定着ローラー１５ａ表面の温度を検知する定着温度センサー６０（図３参照）とを備える。定着ローラー１５ａはメインモーター５０（図３参照）からの駆動力によって回転し、加圧ローラー１５ｂは定着ローラー１５ａに従動して回転する。
【００１８】
画像形成動作を行う場合、反時計回り方向に回転する感光体ドラム５が帯電装置４により一様に帯電され、画像データに基づく露光ユニット７からのレーザービームにより感光体ドラム５上に静電潜像が形成され、現像装置８により静電潜像にトナーが付着されてトナー像が形成される。この現像装置８へのトナーの供給はトナーコンテナ９から行われる。なお、画像データはパーソナルコンピューター（以下、パソコンという）等から送信される。
【００１９】
上記のようにトナー像が形成された感光体ドラム５に向けて、用紙が給紙カセット１０又は手差し給紙装置１１から用紙搬送路１２およびレジストローラー対１３を経由して搬送され、転写ローラー１４により感光体ドラム５の表面に形成されたトナー像が用紙に転写される。トナー像が転写された用紙は感光体ドラム５から分離され、定着装置１５に搬送されてトナー像が定着される。定着装置１５を通過した用紙は、用紙搬送路１６により装置上部に搬送され、用紙の片面のみに画像を形成する場合（片面印字時）は、排出ローラー対１７により排出トレイ１８に排出される。
【００２０】
次に、本発明の画像形成装置１００の制御経路について説明する。図３は、本発明の画像形成装置１００に用いられる制御経路の一例を示すブロック図である。なお、画像形成装置１００を使用する上で装置各部の様々な制御がなされるため、画像形成装置１００全体の制御経路は複雑なものとなる。そこで、ここでは制御経路のうち、本発明の実施に必要となる部分を重点的に説明する。
【００２１】
制御部９０は、中央演算処理装置としてのＣＰＵ（Central Processing Unit）９１、読み出し専用の記憶部であるＲＯＭ（Read Only Memory）９２、読み書き可能な記憶部であるＲＡＭ（Random Access Memory）９３、一時的に画像データ等を記憶する一時記憶部９４、画像形成装置１００内の各装置に制御信号を送信したり操作部７０からの入力信号を受信したりする複数（ここでは２つ）のＩ／Ｆ（インターフェイス）９６を少なくとも備えている。また、制御部９０は、画像形成装置１００の本体内部の任意の場所に配置可能である。
【００２２】
ＲＯＭ９２には、画像形成装置１００の制御用プログラムや、制御上の必要な数値等、画像形成装置１００の使用中に変更されることがないようなデータ等が収められている。ＲＡＭ９３には、画像形成装置１００の制御途中で発生した必要なデータや、画像形成装置１００の制御に一時的に必要となるデータ等が記憶される。また、ＲＯＭ９２（或いはＲＡＭ９３）には、後述するようにウォームアップを行う際の感光体ドラム５および定着ローラーの回転速度（プロセス線速）や、ウォームアップ時に帯電装置４のコロナワイヤー２１に印加する電圧値等も格納されている。
【００２３】
また、制御部９０は、画像形成装置１００における各部分、装置に対し、ＣＰＵ９１からＩ／Ｆ９６を通じて制御信号を送信する。また、各部分、装置からその状態を示す信号や入力信号がＩ／Ｆ９６を通じてＣＰＵ９１に送信される。制御部９０が制御する各部分、装置としては、例えば、画像形成部Ｐ、露光ユニット７、定着装置１５、画像入力部４０、電圧制御回路４１、メインモーター５０、定着温度センサー６０、操作部７０等が挙げられる。
【００２４】
画像入力部４０は、パソコン等から画像形成装置１００に送信される画像データを受信する受信部である。画像入力部４０より入力された画像信号はデジタル信号に変換された後、一時記憶部９４に送出される。
【００２５】
電圧制御回路４１は、帯電電圧電源４２、現像電圧電源４３、転写電圧電源４４、および定着電圧電源４５と接続され、制御部９０からの出力信号によりこれらの各電源を作動させるものであり、これらの各電源は電圧制御回路４１からの制御信号によって、帯電電圧電源４２は帯電装置４内のコロナワイヤー２１およびグリッド２３に、現像電圧電源４３は現像装置８内の現像ローラー２５に、転写電圧電源４４は転写ローラー１４に、定着電圧電源４５は定着装置１５の定着ローラー１５ａに内蔵されたヒーター３０（図１参照）に、それぞれ所定の電圧を印加する。
【００２６】
メインモーター５０は、制御部９０からの制御信号に基づいて感光体ドラム５、定着装置１５（定着ローラー１５ａ）を含む画像形成装置１００内の被駆動部材を駆動する。
【００２７】
定着温度センサー６０は、定着ローラー１５ａに対向して配置され、定着ローラー１５ａの表面温度を検知する。定着温度センサー６０としては、定着ローラー１５ａの表面温度を非接触で検知可能なサーミスター等が用いられる。
【００２８】
操作部７０には、液晶表示部７１、各種の状態を示すＬＥＤ７２が設けられており、ユーザーは操作部７０のストップ／クリアボタンを操作して画像形成を中止し、リセットボタンを操作して画像形成装置１００の各種設定をデフォルト状態にする。液晶表示部７１は、画像形成装置１００の状態を示したり、画像形成状況や印字部数を表示したりするようになっている。画像形成装置１００の各種設定はパソコンのプリンタードライバーから行われる。
【００２９】
以下、本発明の特徴部分であるウォームアップ実行時のプロセス線速および帯電印加電圧の制御について説明する。前述したように、ウォームアップ直後の印字において感光体ドラム５の表面電位の立ち上がりを良くするためには帯電装置４に帯電電圧を印加した状態で感光体ドラム５を回転駆動する必要がある。また、感光層５ｂの摩耗を抑制するためには感光体ドラム５を低速で回転させる必要がある。しかし、感光体ドラム５を通常よりも低速で回転させたときに、帯電電圧電源４２から帯電装置４に画像形成時と同じ帯電電圧を印加すると、ウォームアップ直後の印字において感光体ドラム５の表面電位が狙いの電位よりも高くなり、画像不良が発生するおそれがあった。また、ウォームアップ時においても画像形成時と同量の放電生成物が生成して感光層５ｂの表面に付着するため、感光体ドラム５の寿命が短くなるという問題点もあった。
【００３０】
そこで、本発明の画像形成装置１００では、ウォームアップ時に感光体ドラム５や定着装置１５を画像形成時よりも低速で駆動するとともに、帯電装置４に印加する帯電電圧を画像形成時よりも低下させる。具体的には、帯電装置４のグリッド２３に印加する電圧（グリッド電圧）は画像形成時と同電圧とし、コロナワイヤー２１に印加する電圧（ワイヤー電圧）を画像形成時よりも低電圧として、コロナワイヤー２１に流れる帯電電流（主帯電電流）を画像形成時よりも低下させる。このとき、コロナワイヤー２１に印加するワイヤー電圧は、感光体ドラム５の表面電位が画像形成時と略同電位となるように、感光体ドラム５の回転速度に応じて設定される。
【００３１】
これにより、ウォームアップ終了直後の印字において感光体ドラム５の表面電位の立ち上がりが向上するとともに、放電生成物の生成も効果的に抑制することができる。なお、コロナワイヤー２１に印加するワイヤー電圧を低下させる代わりに、グリッド２３に印加するグリッド電圧を低下させても感光体ドラム５の表面電位を画像形成時と略同電位に帯電させることができる。しかし、オゾンや放電生成物の発生はコロナワイヤー２１からの放電による影響が大きいため、コロナワイヤー２１に印加するワイヤー電圧を低下させることでオゾンや放電生成物の発生を効果的に抑制することができる。また、グリッド電圧を変更せずにワイヤー電圧のみを可変させるため、帯電電圧の制御を簡素化できる。
【００３２】
或いは、グリッド２３に印加するグリッド電圧を画像形成時よりも高電圧とすることもできる。これにより、ウォームアップ時に感光体ドラム５の表面電位を画像形成時と略同電位に帯電させる際に、コロナワイヤー２１に印加するワイヤー電圧をさらに低下させることができ、オゾンや放電生成物の発生をより一層効果的に抑制することができる。
【００３３】
図４は、本発明の画像形成装置１００におけるウォームアップ実行時のプロセス線速および帯電印加電圧の制御例を示すフローチャートである。必要に応じて図１〜図３を参照しながら、図４のステップに沿ってウォームアップ実行時におけるプロセス線速および帯電印加電圧の制御手順について説明する。なお、画像形成装置１００の画像形成速度（プロセス線速）は２４０ｍｍ／ｓ、画像形成時にコロナワイヤー２１に流れる主帯電電流は３１０μＡ、グリッド電圧は５００Ｖであり、感光体ドラム５の表面電位が４２０Ｖとなるように設定されている。また、図４のスタート時において画像形成装置１００は待機状態（印字待ち状態）にあり、定着ローラー１５ａは定着温度よりも低い温度に維持されているものとする。
【００３４】
パソコン等の上位機器（ホスト機器）から制御部９０に印字命令が入力されると（ステップＳ１）、制御部９０は画像形成速度（プロセス線速）を８０ｍｍ／ｓに設定する（ステップＳ２）。また、制御部９０はコロナワイヤー２１に流れる主帯電電流が１５５μＡとなるように設定する（ステップＳ３）。具体的には、制御部９０はバイアス印加回路４１に制御信号を送信し、グリッド電圧は画像形成時と同電圧としたまま、主帯電電流が１５５μＡとなるように帯電電圧電源４２からコロナワイヤー２１に印加されるワイヤー電圧を設定する。
【００３５】
次に、制御部９０によりウォームアップが開始される（ステップＳ４）。具体的には、制御部９０からメインモーター５０に制御信号が送信され、ステップＳ２で設定された速度（８０ｍｍ／ｓ）で感光体ドラム５および定着ローラー１５ａを回転させる。そして、感光体ドラム５および定着ローラー１５ａを回転させた状態で定着電圧電源４５からヒーター３０へ印加する電圧を高くすることにより定着ローラー１５ａの温度を上昇させる。
【００３６】
次に、制御部９０は定着温度センサー６０からの検知信号により定着ローラー１５ａの表面温度が所定の定着温度に到達したか否かを判断する（ステップＳ５）。定着ローラー１５ａの表面温度が所定の定着温度に到達すると（ステップＳ５でＹｅｓ）、制御部９０は画像形成速度（プロセス線速）を２４０ｍｍ／ｓに設定する（ステップＳ６）。また、制御部９０はコロナワイヤー２１に流れる主帯電電流を３１０μＡに設定する（ステップＳ７）。具体的には、制御部９０はバイアス印加回路４１に制御信号を送信し、主帯電電流が３１０μＡとなるように帯電電圧電源４２からコロナワイヤー２１に印加されるワイヤー電圧を設定する。その後、印字が開始される（ステップＳ８）。
【００３７】
そして、印字が終了したか否かが判断され（ステップＳ９）、印字が終了している場合は（ステップＳ９でＹｅｓ）再び画像形成装置１００を待機状態に移行して（ステップＳ１０）処理を終了する。
【００３８】
上記の制御によれば、ウォームアップ時に感光体ドラム５および定着ローラー１５ａを画像形成時（２４０ｍｍ／ｓ）よりも低速（８０ｍｍ／ｓ）で回転させながら、コロナワイヤー２１に流れる主帯電電流を画像形成時（３１０μＡ）よりも低下（１５５μＡ）させることで、ウォームアップ時の感光体ドラム５の表面を概ね狙いの電位（画像形成時の表面電位と略同電位）に帯電させることができる。
【００３９】
その結果、ウォームアップの実行時における騒音や感光体ドラム５表面の感光層５ｂの摩耗が抑制されるとともに、感光体ドラム５の表面電位の立ち上がり性が向上する。また、ウォームアップ時における放電生成物の生成も抑制することができる。さらに、ウォームアップ直後の印字において感光体ドラム５の表面電位が高くなり過ぎるのを防止できるため、感光体ドラム５の過帯電に起因する画像不良の発生を向上させることができる。
【００４０】
なお、ウォームアップ時における感光体ドラム５の表面電位は画像形成時（印字時）における表面電位ほどの厳密な精度は要求されないため、概ね画像形成時の表面電位と同電位であれば問題はない。
【００４１】
また、上記実施形態では、待機状態からのウォームアップ時におけるプロセス線速および帯電印加電圧の制御手順について説明したか、省電力モード（スリープモード）から復帰する際のウォームアップ時においても全く同様に説明できる。省電力モードでは定着ローラー１５ａへの電力供給がオフとなっているため、待機状態からのウォームアップに比べてウォームアップ時間（感光体ドラム５の回転時間）が長くなる。そのため、上記実施形態のようにプロセス線速および帯電印加電圧の制御を行うことは、感光体ドラム５の摩耗や放電生成物の生成を抑制する観点から特に有効である。
【００４２】
その他本発明は、上記実施形態に限定されず、本発明の趣旨を逸脱しない範囲で種々の変更が可能である。例えば、上記実施形態ではウォームアップ時に感光体ドラム５および定着ローラー１５ａを画像形成時の１／３の速度（８０ｍｍ／ｓ）で回転させているが、ウォームアップ時の感光体ドラム５および定着ローラー１５ａの回転速度は任意に設定することができる。
【００４３】
また、上記実施形態では、コロナワイヤー２１とグリッド２３とを備えたスコロトロン方式の帯電装置４を用いているが、スコロトロン方式の帯電装置４に代えて、グリッドがなくコロナワイヤーのみを備えたコロトロン方式の帯電装置を備えた画像形成装置においても、ウォームアップ時にコロナワイヤーに印加する帯電電圧を調整することによりコロナワイヤーに流れる主帯電電流を画像形成時よりも低下させることで、実質的に同じ作用により実質的に同じ効果を奏することができる。
【００４４】
また、本発明は図１に示したようなモノクロプリンターに限らず、カラープリンター、デジタル複合機、カラー複写機等の、コロナ帯電式の帯電装置を備え、感光体ドラムと定着装置とを同一の駆動源で駆動する種々の画像形成装置に適用できる。
【産業上の利用可能性】
【００４５】
本発明は、感光体ドラムと定着装置とを同一の駆動源で駆動する画像形成装置に利用可能である。本発明の利用により、ウォームアップ終了直後の印字における感光体ドラムの表面を所望の表面電位に精度良く帯電させることができ、表面電位の立ち上がりを良くするとともに、放電生成物の生成も抑制可能な画像形成装置を提供することができる。
【符号の説明】
【００４６】
Ｐ      画像形成部
４      帯電装置
５      感光体ドラム（像担持体）
６      除電装置
８      現像装置
１４    転写ローラー（転写部材）
１５    定着装置
１５ａ  定着ローラー（被加熱回転体）
１５ｂ  加圧ローラー（加圧部材）
２１    コロナワイヤー
２３    グリッド
４１    電圧制御回路（電圧印加装置）
４２    帯電電圧電源（電圧印加装置）
５０    メインモーター（駆動装置）
９０    制御部
１００  画像形成装置
【図１】
2018066896.tif 000003
【図２】
2018066896.tif 000004
【図３】
2018066896.tif 000005
【図４】
2018066896.tif 000006